【手続補正書】
【提出日】平成17年3月23日(2005.3.23)
【手続補正１】
【補正対象書類名】特許請求の範囲
【補正対象項目名】全文
【補正方法】変更
【補正の内容】
【特許請求の範囲】
【請求項１】
患者の子宮動脈を圧縮するための装置であって、
近い方の端部および遠位の端部を有するハンドルと、
前記遠位の端部にマウントされた圧縮用部分とを備え、
前記圧縮用部分は、遠位の端部、側面およびセンサを有することを特徴とする装置。
【請求項２】
前記圧縮用部分は、第１の圧縮用部分であり、この第１の圧縮用部分から離れて位置する第２の圧縮用部分を更に備え、
前記ハンドルは二つの圧縮用部分の少なくとも一方に接続される請求項１記載の装置。
【請求項３】
前記センサは、前記圧縮用部分にマウントされた少なくとも一つのドップラーチップを備え、前記少なくとも一つのドップラーチップは、圧縮用部分の遠位の端面からの視野方位を有する請求項２記載の装置。
【請求項４】
前記すくなくとも一つのドップラーチップは、圧縮用部分の遠位に着脱自在にマウントされる請求項３記載の装置。
【請求項５】
前記少なくとも一つのドップラーチップは、前記圧縮用部分の端部に一体的に形成される請求項３記載の装置。
【請求項６】
前記少なくとも一つのドップラーチップは、前記圧縮用部分内にマウントされた多数のドップラー水晶を備える請求項３記載の装置。
【請求項７】
前記ドップラー水晶の各々は、視野方位を有し、前記ドップラー水晶の視野方位は平行な視野方位を有する請求項６記載の装置。
【請求項８】
当該装置は長さ方向の軸を有し、各ドップラー水晶は、前記軸に平行な視野方位を有する請求項６記載の装置。
【請求項９】
前記ドップラー水晶は、視野方位を有し、前記視野方位は、発散する視野方位を有する請求項６記載の装置。
【請求項１０】
前記ドップラー水晶は、多数の視野方位を有し、第１の前記多数の視野方位は、前記圧縮用部分の遠位端面と直交し、そして、少なくとも第２の多数の視野方位は、第１の視野方位に対して角度を有する請求項６記載の装置。
【請求項１１】
前記ドップラー水晶は、圧縮用部分の遠位に着脱自在にマウントされる請求項６記載の装置。
【請求項１２】
前記ドップラー水晶は、前記圧縮用部分の端部に一体的に形成される請求項６記載の装置。
【請求項１３】
前記ドップラー水晶は、互いに等間隔で配置される請求項６記載の装置。
【請求項１４】
前記センサは、前記圧縮用部分にマウントされる少なくとも一つのドップラー水晶を備え、前記少なくとも一つのドップラー水晶は、圧縮用部分の遠位の端面からの視野方位を有する請求項１記載の装置。
【請求項１５】
前記少なくとも一つのドップラー水晶は、圧縮用部分の遠位に着脱自在にマウントされる請求項１４記載の装置。
【請求項１６】
前記少なくとも一つのドップラー水晶は、前記圧縮用部分の端部に一体的に形成される請求項１４記載の装置。
【請求項１７】
前記少なくとも一つのドップラー水晶は、前記圧縮用部分にマウントされた多数のドップラー水晶を備える請求項１４記載の装置。
【請求項１８】
前記ドップラー水晶の各々は、視野方位を有し、前記ドップラー水晶の視野方位は平行な視野方位を有する請求項１７記載の装置。
【請求項１９】
前記ドップラー水晶の各々は、前記圧縮用部分の遠位端面と直交する視野方位を有する請求項１７記載の装置。
【請求項２０】
前記ドップラー水晶は視野方位を有し、前記視野方位は、発散する視野方位を有する請求項１７記載の装置。
【請求項２１】
前記ドップラー水晶は、多数の視野方位を有し、第１の前記多数の視野方位は、前記圧縮用部分の遠位端面と直交し、そして、少なくとも第２の多数の視野方位は、第１の視野方位に対して角度を有する請求項６記載の装置。
【請求項２２】
前記ドップラー水晶は、圧縮用部分の遠位に着脱自在にマウントされる請求項１７記載の装置。
【請求項２３】
前記ドップラー水晶は、前記圧縮用部分の端部に一体的に形成される請求項１７記載の装置。
【請求項２４】
前記ドップラー水晶は、互いに等間隔で配置される請求項１７記載の装置。
【請求項２５】
前記側面は、凹面を有する請求項１記載の装置。
【請求項２６】
前記側面は、平坦である請求項１記載の装置。
【請求項２７】
前記ハンドルは、第１のアーム、第２のアーム、および第１のアームと第２のアームをピボット回転可能に支持するヒンジを備える請求項１記載の装置。
【請求項２８】
前記圧縮用部分は、第１のアームに取り付けられた第１の圧縮用部分、および第２のアームに取り付けられた第２の圧縮用部分を備える請求項２７記載の装置。
【請求項２９】
前記弓状の遠位の端面は第１の遠位の端面であり、前記側面は第１の側面であり、第１の弓状の端面および第１の側面は、第１の圧縮用部分にあり、更に、第２の弓状の遠位の端面および第２の側面を備え、第２の弓状の遠位の端面および第２の側面は第２の圧縮用部分にある請求項２８記載の装置。
【請求項３０】
第１および第２の側面の少なくとも一方は凹面である請求項２９記載の装置。
【請求項３１】
前記凹面の側面は、約２cm〜約４cmの内径を有する請求項３０記載の装置。
【請求項３２】
前記凹面の側面は、約３cmの内径を有する請求項３１記載の装置。
【請求項３３】
第１および第２の側面の双方が凹面を有し、それらの凹面は互いに向き合っている請求項２９記載の装置。
【請求項３４】
凹面の側面は、約２cm〜約４cmの内径を有する請求項３３記載の装置。
【請求項３５】
前記凹面の側面は、約３cmの内径を有する請求項３４記載の装置。
【請求項３６】
前記センサは、前記圧縮用部分にマウントされるドップラー水晶を備え、そのドップラー水晶は前記圧縮用部分の遠位端面と平行な視野方位を有する請求項２７記載の装置。
【請求項３７】
前記ドップラー水晶は、遠位の圧縮用部分に着脱自在にマウントされる請求項３６記載の装置。
【請求項３８】
前記ドップラー水晶は、遠位の圧縮用部分に一体的に形成される請求項３６記載の装置。
【請求項３９】
前記センサは、圧縮用部分にマウントされる多数のドップラー水晶を備える請求項２７記載の装置。
【請求項４０】
前記ドップラー水晶の各々は、視野方位を有し、そのドップラー水晶の視野方位は平行な視野方位を有する請求項３９記載の装置。
【請求項４１】
前記ドップラー水晶は互いに等間隔で配置される請求項３９記載の装置。
【請求項４２】
第１および第２の圧縮用部分の少なくとも一方は、ループを有する請求項２８記載の装置。
【請求項４３】
前記ループは、内部長Ｘおよび内部幅Ｙを有し、ＸはＹより大である請求項４２記載の装置。
【請求項４４】
Ｘは1.5インチ以上で、Ｙは約0.75〜1.25インチの間にある請求項４３記載の装置。
【請求項４５】
Ｘは約2インチで、Ｙは約0.8インチである請求項４３記載の装置。
【請求項４６】
圧縮用部分にマウントされた少なくとも一つのドップラー水晶を更に備える請求項４２記載の装置。
【請求項４７】
少なくとも一つのドップラー水晶は、圧縮用部分の遠位端面と直交する視野方位を有する請求項４６記載の装置。
【請求項４８】
少なくとも一つのドップラー水晶は、装置の長さ方向の軸に対して角度αをなす視野方位を有し、α＞０である請求項４６記載の装置。
【請求項４９】
少なくとも一つのドップラー水晶は視野方位を有し、ループの少なくとも一部が平面を決定し、前記視野方位が前記平面に対し角度βを有し、そのβは０より大きい請求項４６記載の装置。
【請求項５０】
少なくとも一つのドップラー水晶は、遠位の圧縮用部分に着脱自在にマウントされる請求項４６記載の装置。
【請求項５１】
少なくとも一つのドップラー水晶は、遠位の圧縮用部分と一体的に形成される請求項４６記載の装置。
【請求項５２】
圧縮用部分にマウントされる多数のドップラー水晶を更に備える請求項４２記載の装置。
【請求項５３】
ドップラー水晶の各々は、視野方位を有し、ドップラー水晶の視野方位は平行な視野方位を有する請求項５２記載の装置。
【請求項５４】
多数のドップラー水晶は視野方位を有し、ループの少なくとも一部が平面を決定し、前記視野方位が前記平面に対し角度βを有し、そのβは０より大きい請求項５２記載の装置。
【請求項５５】
ドップラー水晶の各々は、圧縮用部分の遠位端面と直交する視野方位を有する請求項５２記載の装置。
【請求項５６】
ドップラー水晶は、遠位の圧縮用部分に着脱自在にマウントされる請求項５２記載の装置。
【請求項５７】
ドップラー水晶は、遠位の圧縮用部分と一体的に形成される請求項５２記載の装置。
【請求項５８】
ドップラー水晶は、互いに等間隔に配置される請求項５２記載の装置。